【手続補正書】
【提出日】平成25年2月25日(2013.2.25)
【手続補正１】
【補正対象書類名】特許請求の範囲
【補正対象項目名】全文
【補正方法】変更
【補正の内容】
【特許請求の範囲】
【請求項１】
始動口への入球検知を契機に当り判定を行う当り判定手段と、
前記当り判定手段が肯定判定した場合に当りの種類を決定する当り種決定手段と、
前記当り判定手段が肯定判定した場合には、前記当り種決定手段が決定した当りの種類に応じて、大入賞口を開放させる当り遊技を付与する当り遊技付与手段と、
前記当り遊技終了後の遊技状態を、前記始動口への遊技球の入球が非入球容易状態と比較して容易な入球容易状態、又は前記非入球容易状態に制御可能な状態制御手段と、
機本体とは別の外部機器を接続するための接続手段と、
前記当り遊技の付与を示す当り信号を前記接続手段に接続された外部機器に対して出力する信号出力手段と、
当り遊技中に演出を実行する演出実行手段と、を備え、
前記当りには、前記大入賞口の１回の開放時間を特定開放時間に設定した特定開放動作を特定回数にわたって実行させる特殊当り遊技が付与される特殊当りと、前記特定開放動作を前記特定回数にわたって実行させた後に、前記大入賞口の１回の開放時間を前記特定開放時間より長い非特定開放時間に設定した非特定開放動作をさらに実行させる特別当り遊技を付与する特別当りを含み、
前記状態制御手段は、前記当り遊技終了後の遊技状態を、前記当り判定手段の判定時点における遊技状態と同一の遊技状態及び異なる遊技状態のうち何れかの遊技状態に制御し、
前記信号出力手段は、
前記特殊当り遊技、及び前記特別当り遊技のうち何れかの当り遊技が付与される場合、各当り遊技が開始されてから、その開始された当り遊技中の特定時期が経過する迄の間における前記当り信号の出力状態を同一状態とし、
前記特殊当り遊技が付与される場合であって、前記当り判定手段の判定時点における遊技状態が前記非入球容易状態であり、且つその特殊当り遊技終了後の遊技状態が前記非入球容易状態に制御される場合には、前記特定時期が経過する迄の間、前記当り信号を非出力とする一方で、
前記特別当り遊技が付与される場合であって、前記当り判定手段の判定時点における遊技状態が前記非入球容易状態である場合には、前記特定時期の経過後に前記当り信号の出力を開始し、
前記演出実行手段は、前記特定時期の経過後に前記当り遊技終了後の遊技状態を報知する報知演出を実行する遊技機。
【請求項２】
前記特定時期は、前記特定回数の特定開放動作のうち最後の特定開放動作の開始時期が経過した後に設定される請求項１に記載の遊技機。
【請求項３】
前記信号出力手段は、前記特殊当り遊技が付与される場合であって、前記当り判定手段の判定時点における遊技状態が前記非入球容易状態であり、且つその特殊当り遊技終了後の遊技状態が前記入球容易状態に制御される場合に、前記特定時期の経過後に前記当り信号の出力を開始する請求項１又は請求項２に記載の遊技機。
【請求項４】
前記状態制御手段は、
前記当り種決定手段が前記特殊当りのうち第１特殊当りを決定した場合に、前記当り判定手段の判定時点における遊技状態が前記入球容易状態であるか否かに関わらず、前記特殊当り遊技終了後の遊技状態を前記入球容易状態に制御する一方で、
前記当り種決定手段が前記特殊当りのうち第２特殊当りを決定した場合であって、前記当り判定手段の判定時点における遊技状態が前記非入球容易状態であるときに、前記特殊当り遊技終了後の遊技状態を前記非入球容易状態に制御し、前記当り判定手段の判定時点における遊技状態が前記入球容易状態であるときに、前記特殊当り遊技終了後の遊技状態を前記入球容易状態に制御する請求項１〜請求項３のうち何れか一項に記載の遊技機。
【請求項５】
前記状態制御手段は、
各当り遊技終了後の遊技状態を、さらに確率変動状態又は非確率変動状態に制御するように構成され、
前記当り種決定手段が前記特殊当りのうち第３特殊当りを決定した場合であって、前記当り判定手段の判定時点における遊技状態が前記入球容易状態及び前記確率変動状態のうち少なくとも何れか一方を伴う遊技状態であるときに、前記特殊当り遊技終了後の遊技状態を前記入球容易状態に制御し、前記当り判定手段の判定時点における遊技状態が前記非入球容易状態であり且つ前記非確率変動状態であるときに、前記特殊当り遊技終了後の遊技状態を前記非入球容易状態に制御する請求項１〜請求項４のうち何れか一項に記載の遊技機。
【請求項６】
前記信号出力手段は、前記特別当り遊技又は前記特殊当り遊技が付与される場合であって、前記当り判定手段の判定時点における遊技状態が前記入球容易状態である場合に、前記特定時期が経過したか否かに係わらず各当り遊技の開始に伴って前記当り信号を出力する請求項１〜請求項５のうち何れか一項に記載の遊技機。
【手続補正２】
【補正対象書類名】明細書
【補正対象項目名】０００８
【補正方法】変更
【補正の内容】
【０００８】
上記課題を達成するために、請求項１に記載の発明は、始動口への入球検知を契機に当り判定を行う当り判定手段と、前記当り判定手段が肯定判定した場合に当りの種類を決定する当り種決定手段と、前記当り判定手段が肯定判定した場合には、前記当り種決定手段が決定した当りの種類に応じて、大入賞口を開放させる当り遊技を付与する当り遊技付与手段と、前記当り遊技終了後の遊技状態を、前記始動口への遊技球の入球が非入球容易状態と比較して容易な入球容易状態、又は前記非入球容易状態に制御可能な状態制御手段と、機本体とは別の外部機器を接続するための接続手段と、前記当り遊技の付与を示す当り信号を前記接続手段に接続された外部機器に対して出力する信号出力手段と、当り遊技中に演出を実行する演出実行手段と、を備え、前記当りには、前記大入賞口の１回の開放時間を特定開放時間に設定した特定開放動作を特定回数にわたって実行させる特殊当り遊技が付与される特殊当りと、前記特定開放動作を前記特定回数にわたって実行させた後に、前記大入賞口の１回の開放時間を前記特定開放時間より長い非特定開放時間に設定した非特定開放動作をさらに実行させる特別当り遊技を付与する特別当りを含み、前記状態制御手段は、前記当り遊技終了後の遊技状態を、前記当り判定手段の判定時点における遊技状態と同一の遊技状態及び異なる遊技状態のうち何れかの遊技状態に制御し、前記信号出力手段は、前記特殊当り遊技、及び前記特別当り遊技のうち何れかの当り遊技が付与される場合、各当り遊技が開始されてから、その開始された当り遊技中の特定時期が経過する迄の間における前記当り信号の出力状態を同一状態とし、前記特殊当り遊技が付与される場合であって、前記当り判定手段の判定時点における遊技状態が前記非入球容易状態であり、且つその特殊当り遊技終了後の遊技状態が前記非入球容易状態に制御される場合には、前記特定時期が経過する迄の間、前記当り信号を非出力とする一方で、前記特別当り遊技が付与される場合であって、前記当り判定手段の判定時点における遊技状態が前記非入球容易状態である場合には、前記特定時期の経過後に前記当り信号の出力を開始し、前記演出実行手段は、前記特定時期の経過後に前記当り遊技終了後の遊技状態を報知する報知演出を実行することを要旨とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に記載の発明は、請求項１に記載の遊技機において、前記特定時期は、前記特定回数の特定開放動作のうち最後の特定開放動作の開始時期が経過した後に設定されることを要旨とする。
【手続補正５】
【補正対象書類名】明細書
【補正対象項目名】００１１
【補正方法】変更
【補正の内容】
【００１１】
請求項３に記載の発明は、請求項１又は請求項２に記載の遊技機において、前記信号出力手段は、前記特殊当り遊技が付与される場合であって、前記当り判定手段の判定時点における遊技状態が前記非入球容易状態であり、且つその特殊当り遊技終了後の遊技状態が前記入球容易状態に制御される場合に、前記特定時期の経過後に前記当り信号の出力を開始することを要旨とする。
【手続補正６】
【補正対象書類名】明細書
【補正対象項目名】００１２
【補正方法】変更
【補正の内容】
【００１２】
請求項４に記載の発明は、請求項１〜請求項３のうち何れか一項に記載の遊技機において、前記状態制御手段は、前記当り種決定手段が前記特殊当りのうち第１特殊当りを決定した場合に、前記当り判定手段の判定時点における遊技状態が前記入球容易状態であるか否かに関わらず、前記特殊当り遊技終了後の遊技状態を前記入球容易状態に制御する一方で、前記当り種決定手段が前記特殊当りのうち第２特殊当りを決定した場合であって、前記当り判定手段の判定時点における遊技状態が前記非入球容易状態であるときに、前記特殊当り遊技終了後の遊技状態を前記非入球容易状態に制御し、前記当り判定手段の判定時点における遊技状態が前記入球容易状態であるときに、前記特殊当り遊技終了後の遊技状態を前記入球容易状態に制御することを要旨とする。
【手続補正７】
【補正対象書類名】明細書
【補正対象項目名】００１３
【補正方法】変更
【補正の内容】
【００１３】
請求項５に記載の発明は、請求項１〜請求項４のうち何れか一項に記載の遊技機において、前記状態制御手段は、各当り遊技終了後の遊技状態を、さらに確率変動状態又は非確率変動状態に制御するように構成され、前記当り種決定手段が前記特殊当りのうち第３特殊当りを決定した場合であって、前記当り判定手段の判定時点における遊技状態が前記入球容易状態及び前記確率変動状態のうち少なくとも何れか一方を伴う遊技状態であるときに、前記特殊当り遊技終了後の遊技状態を前記入球容易状態に制御し、前記当り判定手段の判定時点における遊技状態が前記非入球容易状態であり且つ前記非確率変動状態であるときに、前記特殊当り遊技終了後の遊技状態を前記非入球容易状態に制御することを要旨とする。
【手続補正８】
【補正対象書類名】明細書
【補正対象項目名】００１４
【補正方法】変更
【補正の内容】
【００１４】
請求項６に記載の発明は、請求項１〜請求項５のうち何れか一項に記載の遊技機において、前記信号出力手段は、前記特別当り遊技又は前記特殊当り遊技が付与される場合であって、前記当り判定手段の判定時点における遊技状態が前記入球容易状態である場合に、前記特定時期が経過したか否かに係わらず各当り遊技の開始に伴って前記当り信号を出力することを要旨とする。
【手続補正９】
【補正対象書類名】明細書
【補正対象項目名】０１４９
【補正方法】変更
【補正の内容】
【０１４９】
次に、上記実施形態及び別例（変形例）から把握できる技術的思想について以下に追記する。
（イ）前記信号出力手段は、全ての前記大当り遊技、及び前記小当り遊技の開始に伴って特殊当り信号を出力する。
【手続補正１０】
【補正対象書類名】明細書
【補正対象項目名】０１５０
【補正方法】変更
【補正の内容】
【０１５０】
（ロ）前記信号出力手段は、前記入球容易状態を伴う遊技状態である場合に、前記入球容易状態であることを示す遊技状態信号を出力する。